(57)【要約】      （修正有）【課題】ウエットスーツを脱いで、それを収納しておくために使用されるバケツ等の収納容器を、容易に持ち運ぶことができると共に、車内の汚れ防止にも貢献することができる収納容器用キャリーを提供する。【解決手段】収納容器用キャリー１は、可撓性素材からなる逆円筒台形状のバケツ（収納容器）を持ち運ぶために用いられる。収納容器用キャリー１は、底板３ａと側板３ｂとからなり、バケツの下部を覆う上端が開口した略逆円筒台形状のキャリー本体３と、キャリー本体３の上端開口縁部に掛け渡される下げ紐４と、を備えている。キャリー本体３は、低密度ポリエチレンによって一体成形されており、可撓性と耐水性とを併せ持っている。【選択図】図１
0003197753.tif 000002
【実用新案登録請求の範囲】
【請求項１】
収納容器を持ち運ぶために用いられる収納容器用キャリーであって、
底板と側板とからなり、前記収納容器の少なくとも下部を覆う耐水性に優れたキャリー本体と、
前記キャリー本体の上端開口縁部に掛け渡される下げ紐と、を備えたことを特徴とする収納容器用キャリー。
【請求項２】
前記下げ紐の端部が、前記キャリー本体の上端開口縁部に取り外し可能に係止されている、請求項１に記載の収納容器用キャリー。
【請求項３】
前記キャリー本体が可撓性素材からなり、前記キャリー本体の上端開口縁の相対向する位置に切り欠きが形成されている、請求項１又は２に記載の収納容器用キャリー。
【考案の詳細な説明】
【技術分野】
【０００１】
本考案は、例えば、ウエットスーツや犬・猫などのペットが収納されたバケツ等の収納容器を持ち運ぶために用いられる収納容器用キャリーに関する。
【背景技術】
【０００２】
従来、寒い日の波乗りでは、ポンチョを着て、可撓性素材からなるバケツの中でウエットスーツを脱ぎ、そのままバケツごと車に積み込み、そそくさと車に乗り込むのが通例であった（例えば、非特許文献１参照）。
【先行技術文献】
【非特許文献】
【０００３】
【非特許文献１】株式会社楽天ホームページ、［online］、［平成２７年１月２２日検索］、インターネット〈URL:http://item.rakuten.co.jp/mariner/ori1520/〉
【考案の概要】
【考案が解決しようとする課題】
【０００４】
しかし、バケツそのままでは持ち運びにくいという問題がある。
また、ウエットスーツを脱ぐ場所は海の近くの砂地が多く、また、使用後のウエットスーツ等は濡れているため、バケツの底面や側面に水や泥や砂が付着しやすく、そのまま車の中に積み込むと、車内を汚してしまう恐れがある。
【０００５】
本考案は、従来技術における前記課題を解決するためになされたものであり、ウエットスーツを脱いで、それを収納しておくために使用されるバケツ等の収納容器を、容易に持ち運ぶことができると共に、車内の汚れ防止にも貢献することができる収納容器用キャリーを提供することを目的とする。
【課題を解決するための手段】
【０００６】
前記目的を達成するため、本考案に係る収納容器用キャリーの構成は、
（１）収納容器を持ち運ぶために用いられる収納容器用キャリーであって、底板と側板とからなり、前記収納容器の少なくとも下部を覆う耐水性に優れたキャリー本体と、前記キャリー本体の上端開口縁部に掛け渡される下げ紐と、を備えたことを特徴とする。
【０００７】
本考案の収納容器用キャリーの上記（１）の構成によれば、使用後のウエットスーツが収納された収納容器に当該収納容器用キャリーを装着して、下げ紐を把持するか肩に掛けることにより、使用後のウエットスーツが収納された収納容器を、容易に持ち運ぶことができる。また、使用後のウエットスーツが収納された収納容器を、当該収納容器用キャリーが装着されたままの状態で車に積み込むことにより、収納容器の底面や側面に付着した水や泥や砂によって車内が汚れてしまうことを防止することができる。
【０００８】
本考案の収納容器用キャリーの上記（１）の構成においては、以下の（２）、（３）のような構成にすることが好ましい。
【０００９】
（２）前記下げ紐の端部が、前記キャリー本体の上端開口縁部に取り外し可能に係止されている。
【００１０】
上記（２）の好ましい構成によれば、例えば、下げ紐が水に濡れた場合などに当該下げ紐を簡単に交換することができる。
【００１１】
（３）前記キャリー本体が可撓性素材からなり、前記キャリー本体の上端開口縁の相対向する位置に切り欠きが形成されている。
【００１２】
上記（３）の好ましい構成によれば、以下のような作用効果が得られる。すなわち、収納容器が可撓性素材からなる場合には、使用後のウエットスーツが収納された当該収納容器に収納容器用キャリーを装着し、下げ紐を把持してキャリー本体を持ち上げると、キャリー本体には、ウエットスーツが収納された収納容器の重量による鉛直下向きの力と下げ紐による内側に押圧される力が作用する。その結果、収納容器の側面は、下げ紐による内側に押圧される力の方向とウエットスーツが収納された収納容器の重量による鉛直下向きの力の方向に直交する方向に拡がる。ここで、切り欠きは、収納容器の側面が拡がる方向に形成されているので、当該切り欠きによって収納容器の側面の拡がりを逃がすことができる。従って、キャリー本体によって収納容器が歪に変形したりすることを防止することができる。
【考案の効果】
【００１３】
本考案によれば、ウエットスーツを脱いで、それを収納しておくために使用されるバケツ等の収納容器を、容易に持ち運ぶことができると共に、車内の汚れ防止にも貢献することができる収納容器用キャリーを提供することができる。
【図面の簡単な説明】
【００１４】
【図１】本考案の実施の形態１における収納容器用キャリーを示す斜視図である。
【図２】本考案の実施の形態１における収納容器用キャリーを図１の矢印Ａの方向から見た第１側面図である。
【図３】本考案の実施の形態１における収納容器用キャリーを図１の矢印Ｂの方向から見た第２側面図である。
【図４】図３のIV−IV線矢視断面図である。
【図５】ウエットスーツを脱いで、それを収納しておくために使用される可撓性素材からなるバケツ（収納容器）を示す斜視図である。
【図６】本考案の実施の形態１における収納容器用キャリーをバケツ（収納容器）に装着した状態を示す斜視図である。
【図７】本考案の実施の形態１における収納容器用キャリーをバケツ（収納容器）に装着した状態を示す第１側面図である。
【図８】本考案の実施の形態１における収納容器用キャリーをバケツ（収納容器）に装着した状態を示す第２側面図である。
【図９】本考案の実施の形態１における収納容器用キャリーの他の例を示す第２側面図である。
【図１０】本考案の実施の形態２における収納容器用キャリーを示す斜視図である。
【図１１】本考案の実施の形態２における収納容器用キャリーを図１０の矢印Ｃの方向から見た第１側面図である。
【図１２】本考案の実施の形態２における収納容器用キャリーを図１０の矢印Ｄの方向から見た第２側面図である。
【図１３】本考案の実施の形態２における収納容器用キャリーを示す底面図である。
【図１４】収納容器の他の例を示す斜視図である。
【考案を実施するための形態】
【００１５】
以下、好適な実施の形態を用いて本考案をさらに具体的に説明する。但し、下記の実施の形態は本考案を具現化した例に過ぎず、本考案はこれに限定されるものではない。
【００１６】
［実施の形態１］
（収納容器用キャリーの構成）
まず、本考案の実施の形態１における収納容器用キャリーの構成について、図１〜図８を参照しながら説明する。
【００１７】
図１は本考案の実施の形態１における収納容器用キャリーを示す斜視図、図２は当該収納容器用キャリーを図１の矢印Ａの方向から見た第１側面図、図３は当該収納容器用キャリーを図１の矢印Ｂの方向から見た第２側面図、図４は図３のIV−IV線矢視断面図、図５はウエットスーツを脱いで、それを収納しておくために使用される可撓性素材からなるバケツ（収納容器）を示す斜視図、図６は当該収納容器用キャリーをバケツ（収納容器）に装着した状態を示す斜視図、図７は当該収納容器用キャリーをバケツ（収納容器）に装着した状態を示す第１側面図、図８は当該収納容器用キャリーをバケツ（収納容器）に装着した状態を示す第２側面図である。
【００１８】
図１〜図８に示すように、本実施の形態の収納容器用キャリー１は、可撓性素材からなる逆円筒台形状のバケツ（収納容器）２を持ち運ぶために用いられる。バケツ２は、例えば、ウエットスーツを脱いで、それを収納しておくために使用される。
収納容器用キャリー１は、底板３ａと側板３ｂとからなり、バケツ２の下部を覆う上端が開口した略逆円筒台形状のキャリー本体３と、キャリー本体３の上端開口縁部に掛け渡される下げ紐４と、を備えている。
キャリー本体３は、低密度ポリエチレンによって一体成形されており、可撓性と耐水性とを併せ持っている。
【００１９】
本実施の形態の収納容器用キャリー１の構成によれば、使用後のウエットスーツが収納されたバケツ２に当該収納容器用キャリー１を装着して、下げ紐４を把持するか肩に掛けることにより、使用後のウエットスーツが収納されたバケツ２を、容易に持ち運ぶことができる。また、使用後のウエットスーツが収納されたバケツ２を、当該収納容器用キャリー１が装着されたままの状態で車に積み込むことにより、バケツ２の底面や側面に付着した水や泥や砂によって車内が汚れてしまうことを防止することができる。
【００２０】
下げ紐４は、二本の紐体４ａ，４ｂからなり、当該二本の紐体４ａ，４ｂは、キャリー本体３の上端開口縁部に互いに略平行な状態で掛け渡された後、その頂部がホックの付いたバンド５によって結束されている。
キャリー本体３の側板３ｂには、４箇所にそれぞれ上下一対の挿通孔３ｃ，３ｄが形成されている。そして、紐体４ａ，４ｂの端部はそれぞれ、上側の挿通孔３ｃに外側から挿通した後、下側の挿通孔３ｄに内側から挿通し、上側に折り返して、面ファスナー４ｃで紐体４ａ，４ｂに留めることにより、キャリー本体３の上端開口縁部に取り外し可能に係止されている。
【００２１】
このように、本実施の形態の収納容器用キャリー１においては、下げ紐４の紐体４ａ，４ｂの端部がそれぞれキャリー本体３の上端開口縁部に取り外し可能に係止されているので、例えば、下げ紐４が水に濡れた場合などに当該下げ紐４を簡単に交換することができる。
【００２２】
上記のように、キャリー本体３は低密度ポリエチレン（可撓性素材）からなっている。そして、紐体４ａと紐体４ｂとの間の、キャリー本体３の上端開口縁の相対向する位置には、略Ｖ字状の切り欠き３ｅ，３ｆがそれぞれ形成されている。
【００２３】
このように、キャリー本体３を可撓性素材によって形成し、かつ、紐体４ａと紐体４ｂとの間の、キャリー本体３の上端開口縁の相対向する位置に切り欠き３ｅ，３ｆをそれぞれ形成することにより、以下のような作用効果が得られる。すなわち、バケツ２が可撓性素材からなる場合には、使用後のウエットスーツが収納された当該バケツ２に収納容器用キャリー１を装着し、下げ紐４を把持してキャリー本体３を持ち上げると（図７，図８の矢印Ｚ参照）、キャリー本体３には、ウエットスーツが収納されたバケツ２の重量による鉛直下向きの力（図７，図８の矢印Ｗ参照）と紐体４ａ，４ｂによる内側に押圧される力（図７の矢印Ｘ１，Ｘ２参照）が作用する。その結果、バケツ２の側面は、矢印Ｘ１，Ｘ２の方向と矢印Ｚ，Ｗの方向に直交する方向に拡がる（図８の矢印Ｙ１，Ｙ２参照）。ここで、切り欠き３ｅ，３ｆは、紐体４ａと紐体４ｂとの間の、キャリー本体３の上端開口縁の相対向する位置（図８の矢印Ｙ１，Ｙ２の方向）に形成されているので、当該切り欠き３ｅ，３ｆによってバケツ２の側面の拡がりを逃がすことができる。従って、キャリー本体３によってバケツ２が歪に変形したりすることを防止することができる。
【００２４】
（収納容器用キャリーの使用方法）
次に、本実施の形態における収納容器用キャリーの使用方法について説明する。
【００２５】
（１）海から上がったら、そのまま図５に示すバケツ２の中に足を入れる。そして、両足をバケツ２の中に入れて、ウエットスーツを脱いでいく。ウエットスーツが脱げたら、そのままバケツ２の中に収納しておく。
（２）服に着替えたら、使用後のウエットスーツが収納されたバケツ２に収納容器用キャリー１を装着する（図６〜図８参照）。すなわち、キャリー本体３によってバケツ２の下部が覆われた状態にする。
（３）次に、下げ紐４を把持するか肩に掛けて、車まで移動し、使用後のウエットスーツが収納されたバケツ２を、収納容器用キャリー１が装着されたままの状態で車に積み込む。このように、使用後のウエットスーツが収納されたバケツ２を、収納容器用キャリー１が装着されたままの状態で車に積み込むことにより、バケツ２の底面や側面に付着した水や泥や砂によって車内が汚れてしまうことを防止することができる。
（４）下げ紐４が水に濡れた場合など、下げ紐４の交換が必要な場合には、紐体４ａ，４ｂの端部の面ファスナー４ｃを解放して、挿通孔３ｃ，３ｄから紐体４ａ，４ｂの端部を抜き取る。そして、新しい紐体４ａ，４ｂの端部をそれぞれ、上側の挿通孔３ｃに外側から挿通した後、下側の挿通孔３ｄに内側から挿通し、上側に折り返して、面ファスナー４ｃで紐体４ａ，４ｂに留める。これにより、新しい紐体４ａ，４ｂがキャリー本体３の上端開口縁部に掛け渡された状態となる。
【００２６】
尚、本実施の形態においては、バケツ（収納容器）２の下部がキャリー本体３によって覆われる場合を例に挙げて説明したが、必ずしもこのような構成に限定されるものではない。キャリー本体は、収納容器の少なくとも下部を覆うものであればよく、収容容器の全体を覆うものであってもよい。
【００２７】
また、本実施の形態においては、下げ紐４の紐体４ａ，４ｂの端部がそれぞれ、上側の挿通孔３ｃに外側から挿通した後、下側の挿通孔３ｄに内側から挿通し、上側に折り返して、面ファスナー４ｃで紐体４ａ，４ｂに留めることにより、キャリー本体３の上端開口縁部に取り外し可能に係止されている場合を例に挙げて説明したが、必ずしもこのような構成に限定されるものではない。下げ紐４の紐体４ａ，４ｂは、キャリー本体３の上端開口縁部に掛け渡されていればよい。
また、下げ紐４の紐体４ａ，４ｂの端部を、キャリー本体３の上端開口縁部に取り外し可能に係止する場合であっても、上記の構成に限定されるものではない。例えば、図９に示す収納容器用キャリー６のように、下げ紐７の紐体７ｂの端部はそれぞれ、上側の挿通孔３ｃに外側から挿通した後、下側の挿通孔３ｄに内側から挿通し、各端部にキーホルダー８等を取り付けることにより、キャリー本体３の上端開口縁部に取り外し可能に係止されていてもよい。
【００２８】
また、本実施の形態においては、キャリー本体３が可撓性素材からなる場合を例に挙げて説明したが、必ずしもこのような構成に限定されるものではない。キャリー本体３は、耐水性に優れたものであれば、必ずしも可撓性素材からなる必要はない。キャリー本体３は、例えば、剛性の高い高密度ポリエチレン等を用いて形成することもできる。
【００２９】
また、本実施の形態においては、キャリー本体３の上端開口縁の相対向する位置に略Ｖ字状の切り欠き３ｅ，３ｆが形成されている場合を例に挙げて説明したが、必ずしもこのような構成に限定されるものではない。切り欠きは、必ずしも形成する必要はない。切り欠きを形成する場合であっても、上記の構成に限定されるものではない。切り欠きの形状は、例えば、Ｕ字状や矩形状であってもよい。
【００３０】
また、本実施の形態においては、二本の紐体４ａ，４ｂの頂部がホックの付いたバンド５によって結束されている場合を例に挙げて説明したが、必ずしもこのような構成に限定されるものではない。二本の紐体４ａ，４ｂの頂部は、例えば、面ファスナーを用いて結束されていてもよく、初めから固着されていてもよい。また、二本の紐体４ａ，４ｂの頂部は、結束されていなくてもよい。さらに、下げ紐は、キャリー本体３の上端開口縁部に掛け渡される一本の紐体のみからなっていてもよい。
【００３１】
［実施の形態２］
次に、本考案の実施の形態２における収納容器用キャリーの構成について、図１０〜図１３を参照しながら説明する。
【００３２】
図１０は本考案の実施の形態２における収納容器用キャリーを示す斜視図、図１１は当該収納容器用キャリーを図１０の矢印Ｃの方向から見た第１側面図、図１２は当該収納容器用キャリーを図１０の矢印Ｄの方向から見た第２側面図、図１３は当該収納容器用キャリーを示す底面図である。
【００３３】
図１０〜図１３に示す本実施の形態のキャリー９は、図１〜図４等に示す上記実施の形態１のキャリー１と比較すると、下げ紐の構成のみが異なっている。このため、上記実施の形態１の収納容器用キャリー１の構成部材と同じ構成部材には同一の参照符号を付し、その説明は省略する。
【００３４】
図１０〜図１３に示すように、本実施の形態の収納容器用キャリー９において、下げ紐１０は、一本の紐体１０ａからなっている。そして、紐体１０ａは、キャリー本体３の底面でクロスした状態となるように、４箇所の上下一対の挿通孔３ｃ，３ｄに挿通される。また、紐体１０ａは、キャリー本体３の上端開口縁部に互いに略平行な状態で掛け渡される２つの部分が形成されるように、４箇所の上下一対の挿通孔３ｃ，３ｄに挿通される。
紐体１０ａのうち、キャリー本体３の底面のクロスした部分は、面ファスナー１１によって結束されている。
また、キャリー本体３の上端開口縁部に互いに略平行な状態で掛け渡された部分の頂部は、ホックの付いたバンド５によって結束されている。
さらに、紐体１０ａの両端は、連結手段１２によって解放可能に連結されている。
【００３５】
本実施の形態の収納容器用キャリー９の構成によれば、下げ紐１０の紐体１０ａが上記のようにしてキャリー本体３に取り付けられているので、キャリー本体３をしっかりと保持することができる。また、紐体１０ａの両端が連結手段１２によって解放可能に連結されているので、両端を解放して、４箇所の上下一対の挿通孔３ｃ，３ｄから紐体１０ａを抜き取ることにより、例えば、下げ紐１０が水に濡れた場合などに下げ紐１０を簡単に交換することができる。
【００３６】
尚、本実施の形態においては、キャリー本体３の上端開口縁部に互いに略平行な状態で掛け渡された部分の頂部がホックの付いたバンド５によって結束されている場合を例に挙げて説明したが、必ずしもこのような構成に限定されるものではない。キャリー本体３の上端開口縁部に互いに略平行な状態で掛け渡された部分の頂部は、例えば、面ファスナーを用いて結束されていてもよい。また、キャリー本体３の上端開口縁部に互いに略平行な状態で掛け渡された部分の頂部は、結束されていなくてもよい。さらに、キャリー本体３の上端開口縁部に掛け渡される部分は、１つであってもよい。
【００３７】
また、本実施の形態においては、紐体１０ａの両端が連結手段１２によって解放可能に連結されている場合を例に挙げて説明したが、必ずしもこのような構成に限定されるものではない。紐体１０ａの両端は、例えば、面ファスナーによって解放可能に連結されていてもよい。
【００３８】
また、上記実施の形態１，２においては、逆円筒台形状のバケツ２を持ち運ぶために用いられる収納容器用キャリー１，６，９を例に挙げて説明したが、本発明の収納容器用キャリーは必ずしもこのようなバケツ２を持ち運ぶためだけに用いられるものではない。本発明の収納容器用キャリーは、例えば図１４に示すような矩形筒状の収納容器１３を持ち運ぶために用いられるものであってもよい。この場合、キャリー本体の形状は、収納容器１３の少なくとも下部を覆う形状であればよい。
【００３９】
また、上記実施の形態１，２においては、ウエットスーツを脱いで、それを収納しておくために使用される収容容器を持ち運ぶために用いられる収納容器用キャリー１，６，９を例に挙げて説明したが、本発明の収納容器用キャリーは必ずしもこのような用途に限定されるものではない。本発明の収納容器用キャリーは、例えば、犬・猫などのペットが収納された収容容器を持ち運ぶために用いることもできる。
【符号の説明】
【００４０】
１，６，９  収納容器用キャリー
２  バケツ（収納容器）
３  キャリー本体
３ａ  底板
３ｂ  側板
３ｃ，３ｄ  挿通孔
３ｅ，３ｆ  切り欠き
４，７，１０  下げ紐
４ａ，４ｂ，７ｂ，１０ａ  紐体
４ｃ，１１  面ファスナー
５  バンド
８  キーホルダー
１２  連結手段
１３  収納容器
【図１】
0003197753.tif 000003
【図２】
0003197753.tif 000004
【図３】
0003197753.tif 000005
【図４】
0003197753.tif 000006
【図５】
0003197753.tif 000007
【図６】
0003197753.tif 000008
【図７】
0003197753.tif 000009
【図８】
0003197753.tif 000010
【図９】
0003197753.tif 000011
【図１０】
0003197753.tif 000012
【図１１】
0003197753.tif 000013
【図１２】
0003197753.tif 000014
【図１３】
0003197753.tif 000015
【図１４】
0003197753.tif 000016